(57)【要約】【課題】  昇降路内に制御盤を設置しても、火災発生時の放水により電子部品が故障して非常運転が不可能になることが回避される非常用マシンルームレスエレベータおよび非常用マシンルームレスエレベータの運転切替方法を提供する。【解決手段】  実施形態によれば、建物内で火災が発生したときに通常運転から非常運転に切り替える非常用マシンルームレスエレベータは、メイン制御盤とサブ制御盤と接続切替スイッチとを備える。メイン制御盤は、非常運転に必須の機能の実行に用いる電子部品を有し、昇降路内に設置される。サブ制御盤は、非常運転に必須ではない機能の実行に用いる電子部品で構成され、メイン制御盤に接続されて昇降路内に設置される。接続切替スイッチは、建物内で火災が発生すると、メイン制御盤とサブ制御盤との接続を切断させる。【選択図】図１
2018052633.tif 000002
【特許請求の範囲】
【請求項１】
建物内で火災が発生すると、通常運転から、予め設定された非常運転に切り替える非常用マシンルームレスエレベータにおいて、
非常運転に必須の機能の実行に用いる電子部品を有し、昇降路内に設置されたメイン制御盤と、
非常運転に必須ではない機能の実行に用いる電子部品で構成され、前記メイン制御盤に接続されて前記昇降路内に設置されたサブ制御盤と、
前記建物内で火災が発生すると、前記メイン制御盤と前記サブ制御盤との接続を切断させる接続切替スイッチと、
を備えることを特徴とする非常用マシンルームレスエレベータ。
【請求項２】
前記メイン制御盤は、前記昇降路内の最上階床面よりも高い位置に設置され、
前記サブ制御盤は、前記昇降路内の最上階床面よりも低い位置に設置される
ことを特徴とする請求項１に記載の非常用マシンルームレスエレベータ。
【請求項３】
前記サブ制御盤は、前記メイン制御盤からの指示に基づいて、所定の機能に関する処理を実行する
ことを特徴とする請求項１または２に記載の非常用マシンルームレスエレベータ。
【請求項４】
前記接続切替スイッチは、前記建物で火災が発生したことにより、非常運転を開始させるための消防運転スイッチまたは、予め設定された避難階に乗りかごを呼び戻すための非常呼び戻しスイッチが操作されると、前記メイン制御盤と前記サブ制御盤との接続を切断させる
ことを特徴とする請求項１〜３いずれか１項に記載の非常用マシンルームレスエレベータ。
【請求項５】
前記接続切替スイッチは、前記建物内で火災が発生したことにより、前記建物内に設置された火災検知器から火災検知信号が出力されると、前記メイン制御盤と前記サブ制御盤との接続を切断させる
ことを特徴とする請求項１〜４いずれか１項に記載の非常用マシンルームレスエレベータ。
【請求項６】
前記接続切替スイッチは、非常運転から通常運転に復帰させるための復帰スイッチが操作されると、前記メイン制御盤と前記サブ制御盤とを再接続させる
ことを特徴とする請求項１〜５いずれか１項に記載の非常用マシンルームレスエレベータ。
【請求項７】
前記接続切替スイッチは、
前記サブ制御盤の近傍に設置された浸水検知器と、前記建物内に設置されたスプリンクラー装置との少なくともいずれか一方に接続され、
前記復帰スイッチが操作されたときに、前記浸水検知器に水がかかったことが検知されるかまたは、スプリンクラー装置が作動したことが検知されていれば、前記メイン制御盤と前記サブ制御盤とを再接続させず、切断状態を維持させる
ことを特徴とする請求項６に記載の非常用マシンルームレスエレベータ。
【請求項８】
非常用マシンルームレスエレベータが、
建物内で火災が発生すると、非常運転に必須の機能の実行に用いる電子部品を有して昇降路内に設置されたメイン制御盤と、非常運転に必須ではない機能の実行に用いる電子部品で構成され、前記メイン制御盤に接続されて前記昇降路内に設置されたサブ制御盤との接続を切断させるとともに、通常運転から、予め設定された非常運転に切り替える
ことを特徴とする非常用マシンルームレスエレベータの運転切替方法。
【発明の詳細な説明】
【技術分野】
【０００１】
本発明の実施形態は、非常用マシンルームレスエレベータおよび非常用マシンルームレスエレベータの運転切替方法に関する。
【背景技術】
【０００２】
従来、所定の高さを超える建築物には、火災発生時の非常運転に使用するための非常用エレベータの設置が義務づけられている。この非常用エレベータは、通常時は一般のエレベータとして使用されるが、火災発生時には消防隊が消防、救助活動のための非常運転に使用するため、乗りかごのサイズ等、規格に様々な規定が設けられている。規定の一つとして、非常用エレベータは機械室を有するものでなければならない旨が定められていたが、建築基準法施行令の一部改正により、機械室を有しないマシンルームレスエレベータを非常用エレベータとして適用することが可能になった。
【０００３】
マシンルームレスエレベータを非常用エレベータとして用いる場合には、制御盤を昇降路内の最上階フロアレベル（最上階の床面高さ）よりも高い位置に設置しなければならない旨が定められている。これは、火災発生時に消火のために放水された水が制御盤の電子部品にかかり、故障して非常時の非常運転ができなくなることを防ぐためである。
【先行技術文献】
【特許文献】
【０００４】
【特許文献１】特開平２０１２−１９７１６２号公報
【発明の概要】
【発明が解決しようとする課題】
【０００５】
しかし、近年のエレベータは多様な機能が搭載されていることから制御盤のサイズが大きく、昇降路の最上階フロアレベルよりも上のオーバーヘッドにマシンルームレスエレベータの制御盤全体を収めることが困難な場合がある。このような場合には、オーバーヘッドを延長するための大がかりな工事が必要となり、手間やコストがかかるという問題があった。また、新たな機能を搭載する際に、追加すべき電子部品が既に設置された制御盤内に収まりきらない場合があるという問題があった。
【０００６】
本発明は上記事情に鑑みてなされたものであり、昇降路内に制御盤を設置しても、火災発生時の放水により電子部品が故障して非常運転が不可能になることが回避される非常用マシンルームレスエレベータおよび非常用マシンルームレスエレベータの運転切替方法の提供を目的とする。
【課題を解決するための手段】
【０００７】
上記目的を達成するための実施形態によれば、建物内で火災が発生したときに通常運転から非常運転に切り替える非常用マシンルームレスエレベータは、メイン制御盤とサブ制御盤と接続切替スイッチとを備える。メイン制御盤は、非常運転に必須の機能の実行に用いる電子部品を有し、昇降路内に設置される。サブ制御盤は、非常運転に必須ではない機能の実行に用いる電子部品で構成され、メイン制御盤に接続されて昇降路内に設置される。接続切替スイッチは、建物内で火災が発生すると、メイン制御盤とサブ制御盤との接続を切断させる。
【図面の簡単な説明】
【０００８】
【図１】第１実施形態による非常用マシンルームレスエレベータの構成を示す全体図。
【図２】第１〜第３実施形態による非常用マシンルームレスエレベータの昇降路上部から下方向を見た状態を示す図。
【図３】第１実施形態による非常用マシンルームレスエレベータの非常運転用の制御盤の構成を示すブロック図。
【図４】第２実施形態による非常用マシンルームレスエレベータの構成を示す全体図。
【図５】第３実施形態による非常用マシンルームレスエレベータの構成を示す全体図。
【図６】他の形態による非常用マシンルームレスエレベータの昇降路上部から下方向を見た状態を示す図。
【発明を実施するための形態】
【０００９】
《第１実施形態》
本発明の第１実施形態による非常用マシンルームレスエレベータの構成について、図１を参照して説明する。本実施形態による非常用マシンルームレスエレベータ１Ａは、ｎ階建ての建物内に設置され、通常時は一般のエレベータとして使用されるが、火災発生時には消防隊により消防、救助活動のための非常運転に使用される。本実施形態において、非常用マシンルームレスエレベータ１Ａには、非常時の避難階として、予め１階が設定されている。
【００１０】
非常用マシンルームレスエレベータ１Ａは、昇降路２上部に設置された巻上げ機３と、巻上げ機３に吊り下げられた乗りかご４と、乗りかご４にテールコード５を介して接続されたメイン制御盤６と、メイン制御盤６にケーブル７を介して接続されたサブ制御盤８とを備える。乗りかご４内にはかご内操作盤４１が設置され、かご内操作盤４１には、火災発生時に予め設定された非常運転を開始させるための１次消防運転スイッチ４１１と、非常運転から通常運転に復帰させるための復帰スイッチ４１２とが設置されている。また、避難階である１階には監視室９が設置され、監視室９内には、非常時に乗りかご４を当該避難階に呼び戻すための非常呼び戻しスイッチ９１が設置されている。
【００１１】
メイン制御盤６は昇降路２のオーバーヘッド２１（最上階フロアレベルａよりも高い位置の空間）に設置され、サブ制御盤８は、昇降路２内の最上階フロアレベルａよりも低い位置に設置されている。これらのメイン制御盤６およびサブ制御盤８は、昇降路２の背面側（乗場に対面する側）の壁面に、ブラケットにより固定される。その際、図２に示すように、昇降路２を上から見たときに、これらのメイン制御盤６およびサブ制御盤８が乗りかご４と重ならない位置に固定される。メイン制御盤６とサブ制御盤８とは、上から見たときに重なっていてもよく、このように設置することで接続するケーブル７等の配線作業や、保守点検作業がしやすくなる。
【００１２】
メイン制御盤６とサブ制御盤８との詳細な構成について、図２を参照して説明する。メイン制御盤６は、サブ制御盤８よりも大きく構築され、メイン機能制御部６１と、接続切替スイッチ６２と、信号検知部６３と、接続切替制御部６４とを有する。メイン機能制御部６１は、非常運転に必須の機能、例えば、巻上げ機３の動作制御、乗りかご４の位置検出、呼びの登録、乗りかご４の乗場への着床レベル調整等の実行に用いる電子部品を含んで構成されている。接続切替スイッチ６２は、サブ制御盤８に接続されたケーブル７の接続／切断を切り替える。信号検知部６３は、１次消防運転スイッチ４１１、復帰スイッチ４１２、および非常呼び戻しスイッチ９１に接続され、これらのスイッチがＯＮ／ＯＦＦ操作されたときに出力される操作信号を検知する。接続切替制御部６４は、信号検知部６３で検知された各スイッチの操作信号に基づいて、接続切替スイッチ６２の切り替え動作を制御する。
【００１３】
サブ制御盤８は、非常運転に必須ではない機能、例えば、乗りかご４のいずれかの階床の乗場への到着や到着予定、戸開閉等を利用者に報知するためのチャイムの鳴動、乗りかご内や乗場に設置された監視カメラの制御、セキュリティ対策のための不停止階設定等の実行に用いる回路や、ノイズ改善用の絶縁トランス等の電子部品により構成されたサブ機能制御部８１を有する。ケーブル７は、メイン制御盤６からサブ制御盤８への電源供給および、メイン制御盤６とサブ制御盤８との間の信号の送受信を行う。メイン制御盤６とサブ制御盤８とは、メイン制御盤６の下部とサブ制御盤８の下部とに接続されたケーブル７により、接続されている。各制御盤の下部同士で接続されることで、上部方向からの水の浸入が防止される。
【００１４】
このように構成された非常用マシンルームレスエレベータ１Ａにおいて、通常運転時は、接続切替制御部６４により接続切替スイッチ６２がＯＮ状態にされ、ケーブル７によりメイン制御盤６とサブ制御盤８とが接続されている。メイン制御盤６とサブ制御盤８とが接続されることにより、メイン機能制御部６１が必要に応じてサブ機能制御部８１で実行される機能を利用して、運転の精度を高めたりサービスを向上させたりすることができる。メイン機能制御部６１がサブ機能制御部８１の機能を利用する際は、サブ制御盤８は、メイン制御盤６から供給される電源で動作する。
【００１５】
そして、建物内で火災が発生したことにより消防隊員により１次消防運転スイッチ４１１がＯＮ操作されるかまたは、監視員により監視室９の非常呼び戻しスイッチ９１がＯＮ操作されると、当該操作信号がメイン制御盤６の信号検知部６３で検知される。信号検知部６３においていずれかのスイッチのＯＮ操作信号が検知されると、火災が発生したと判断され、接続切替制御部６４により接続切替スイッチ６２がＯＦＦ状態に切り替えられてケーブル７が切断されるとともに、メイン機能制御部６１により非常運転が行われるように切り替えられる。ここで、ケーブル７が切断されたことによりメイン機能制御部６１はサブ機能制御部８１の機能を利用できなくなるが、非常運転に必須の機能に用いる電子部品はすべてメイン機能制御部６１に含まれているため、メイン機能制御部６１の機能のみで非常運転の実行は可能である。
【００１６】
その後、消火活動や避難誘導活動が終了し、消防隊員が当該非常用マシンルームレスエレベータ１Ａを通常運転に復帰させても問題ないことを確認して１次消防運転スイッチ４１１をＯＦＦ操作し復帰スイッチ４１２をＯＮ操作すると、当該操作信号が信号検知部６３で検知される。信号検知部６３においてこれらの操作信号が検知されると、接続切替制御部６４により接続切替スイッチ６２がＯＮ状態に切り替えられ、ケーブル７が再接続されるとともに、メイン機能制御部６１により通常運転が行われるように切り替えられる。ここで、ケーブル７が再接続されたことにより、メイン機能制御部６１がサブ機能制御部８１の機能を利用可能になり、利便性が高く、精度の高い通常運転を行う状態に戻る。
【００１７】
上述したように、本実施形態の非常用マシンルームレスエレベータ１Ａでは、巻上げ機３や各種スイッチとの通信、通常運転と非常運転との間での切替指示、メイン制御盤６とサブ制御盤８とを接続させるか切断させるかの判断および指示等はすべてメイン制御盤６で実行され、サブ制御盤８では、メイン制御盤６からの指示に基づいて、所定の機能に関する処理が実行される。
【００１８】
以上の第１実施形態によれば、マシンルームレスエレベータにおいて、昇降路のオーバーヘッドが制御盤全体を設置するための十分な大きさを有していない場合にも、当該マシンルームレスエレベータを非常用エレベータとして構成することが可能になる。具体的には、当該エレベータの制御に用いる電子部品を、非常運転に必須の機能の実行に用いるものと、非常運転に必須ではない機能の実行に用いるものとに分け、必須の機能の実行に用いるものを搭載したメイン制御盤と、必須ではない機能の実行に用いるものを搭載したサブ制御盤とを構築する。そして、メイン制御盤のみをオーバーヘッドに設置し、サブ制御盤は最上階フロアレベルよりも下部に設置することで、エレベータの制御に関するすべての電子部品を昇降路内に設置することが可能になる。このとき、サブ制御盤を最上階フロアレベルよりも下部に設置することで、火災が発生したときの放水によりサブ制御盤に水がかかって地絡や漏電が発生する可能性がでてくる。しかし、当該エレベータが非常運転に切り替わった際にメイン制御盤とサブ制御盤とを接続するケーブルを切断させておくため、サブ制御盤で地絡や漏電が発生したとしても、この影響でメイン制御盤が破損して非常運転が不可能になる事態を回避することができる。
【００１９】
《第２実施形態》
本発明の第２実施形態による非常用マシンルームレスエレベータ１Ｂの構成について、図４を参照して説明する。本実施形態による非常用マシンルームレスエレベータ１Ｂは、メイン制御盤６に、各階床の天井にそれぞれ設置された火災検知器１０−１〜１０−ｎが接続されていることを除いては、第１実施形態で説明した非常用マシンルームレスエレベータ１Ａの構成と同様であるため、同一機能を有する部分の詳細な説明は省略する。火災検知器１０−１〜１０−ｎは、設置された階床で火災が発生したことを検知すると、火災検知信号を出力する。
【００２０】
本実施形態においてメイン制御盤６の信号検知部６３は、１次消防運転スイッチ４１１、復帰スイッチ４１２、非常呼び戻しスイッチ９１、および火災検知器１０−１〜１０−ｎに接続され、これらから出力される信号を検知する。
【００２１】
このように構成された非常用マシンルームレスエレベータ１Ｂにおいて、通常運転時は、接続切替制御部６４により接続切替スイッチ６２がＯＮ状態にされ、ケーブル７によりメイン制御盤６とサブ制御盤８とが接続されている。そして、建物内で火災が発生したことによりいずれかの火災検知器１０−１〜１０−ｎから火災検知信号が出力されると、当該火災検知信号がメイン制御盤６の信号検知部６３で検知される。信号検知部６３において火災検知信号が検知されると、接続切替制御部６４により接続切替スイッチ６２がＯＦＦ状態に切り替えられてケーブル７が切断される。
【００２２】
また、火災の発生により駆けつけた消防隊員により１次消防運転スイッチ４１１がＯＮ操作されるかまたは、監視員により非常呼び戻しスイッチ９１がＯＮ操作されると、当該操作信号がメイン制御盤６の信号検知部６３で検知される。信号検知部６３においていずれかのスイッチのＯＮ操作信号が検知されると、メイン機能制御部６１により非常運転が行われるように切り替えられる。このとき、ケーブル７が切断されておりメイン制御盤６はサブ制御盤８との通信ができないため、メイン機能制御部６１の機能のみを用いて非常運転が実行される。
【００２３】
その後、消火活動や避難誘導活動が終了して消防隊員により１次消防運転スイッチ４１１がＯＦＦ操作され復帰スイッチ４１２がＯＮ操作されると、当該操作信号が信号検知部６３で検知される。信号検知部６３においてこれらの操作信号が検知されると、接続切替制御部６４により接続切替スイッチ６２がＯＮ状態に切り替えられ、ケーブル７が再接続されるとともに、メイン機能制御部６１により通常運転が行われるように切り替えられる。
【００２４】
以上の第２実施形態によれば、建物内で発生した火災が確実かつ迅速に検知され、火災の検知により非常用マシンルームレスエレベータが非常運転に切り替わったときに、消火のための放水の水により電子部品が故障して非常運転が不可能になることが回避される。
【００２５】
《第３実施形態》
本発明の第３実施形態による非常用マシンルームレスエレベータ１Ｃの構成について、図５を参照して説明する。本実施形態において建物内には、各階床の天井にそれぞれ、火災検知器１０−１〜１０−ｎに接続されたスプリンクラー装置１２−１〜１２−ｎが設置されている。各スプリンクラー装置１２−１〜１２−ｎは、接続された火災検知器１０−１〜１０−ｎで火災が検知されると、設置されたフロア内に散水する。また、昇降路２のサブ制御盤８の近傍、例えばサブ制御盤８の下部には、浸水検知器１１が設置されている。
【００２６】
本実施形態による非常用マシンルームレスエレベータ１Ｃは、メイン制御盤６に、浸水検知器１１が接続されるとともに、最上階床の天井に設置されたスプリンクラー装置１２−ｎが接続されていることを除いては、第２実施形態で説明した非常用マシンルームレスエレベータ１Ｂの構成を同様であるため、同一機能を有する部分の詳細な説明は省略する。浸水検知器１１は、水がかかったことを検知すると、浸水検知信号を出力する。スプリンクラー装置１２―ｎは、火災検知器１０−ｎで火災が検知されると作動信号を出力するとともに、フロア内に散水する。
【００２７】
本実施形態においてメイン制御盤６の信号検知部６３は、１次消防運転スイッチ４１１、復帰スイッチ４１２、非常呼び戻しスイッチ９１、火災検知器１０−１〜１０−ｎ、浸水検知器１１、およびスプリンクラー装置１２―ｎに接続され、これらから出力される信号を検知する。
【００２８】
このように構成された非常用マシンルームレスエレベータ１Ｃにおいて、通常運転時は、接続切替制御部６４により接続切替スイッチ６２がＯＮ状態にされ、ケーブル７によりメイン制御盤６とサブ制御盤８とが接続されている。そして、建物内で火災が発生したことによりいずれかの火災検知器１０−１〜１０−ｎから火災検知信号が出力されると、当該火災検知信号がメイン制御盤６の信号検知部６３で検知される。信号検知部６３において火災検知信号が検知されると、接続切替制御部６４により接続切替スイッチ６２がＯＦＦ状態に切り替えられてケーブル７が切断される。
【００２９】
また、火災が検知された火災検知器に接続されたスプリンクラー装置から散水される。ここで、最上階であるｎ階の火災検知器１０−ｎで火災が検知されたときには、スプリンクラー装置１２−ｎから散水されるとともに、当該スプリンクラー装置１２−ｎから出力された作動信号が信号検知部６３で検知される。
【００３０】
また、建物内で火災が発生したことにより消防隊員により１次消防運転スイッチ４１１がＯＮ操作されるかまたは、監視員により監視室９の非常呼び戻しスイッチ９１がＯＮ操作されると、当該操作信号がメイン制御盤６の信号検知部６３で検知される。信号検知部６３においていずれかのスイッチのＯＮ操作信号が検知されると、メイン機能制御部６１により非常運転が行われるように切り替えられる。消火活動中に、浸水検知器１１で水がかかったことが検知されると浸水検知信号が出力され、信号検知部６３で検知される。
【００３１】
その後、消火活動や避難誘導活動が終了して消防隊員により１次消防運転スイッチ４１１がＯＦＦ操作され復帰スイッチ４１２がＯＮ操作されると、スプリンクラー装置１２−ｎから出力された作動信号または、浸水検知器１１から出力された浸水検知信号が信号検知部６３で検知されているか否かが判定される。判定の結果、作動信号または浸水検知信号のいずれも検知されていなければ、接続切替制御部６４により接続切替スイッチ６２がＯＮ状態に切り替えられてケーブル７が再接続されるとともに、通常運転が行われるように切り替えられる。ここで、作動信号または浸水検知信号が検知されていると判定したときには、サブ制御盤８に水がかかって地絡が発生している恐れがあるとして、接続切替スイッチ６２はＯＦＦ状態が保たれ、ケーブル７は再接続されず、切断状態が維持される。このとき、浸水検知器１１から出力された浸水検知信号が信号検知部６３で検知されると、当該検知されたことを示す情報が監視室９内の監視装置（図示せず）に送信されて出力されるとともに、かご内操作盤４１に送信されて表示される。これにより、サブ制御盤８に水がかかっていることが、監視員や消防隊員に報知される。
【００３２】
以上の第３実施形態によれば、火災発生により、非常運転の制御に必須の電子部品を含んで構成されたメイン制御盤から、非常運転の制御に必須ではない電子部品により構成されたサブ制御盤を切り離した後、消火活動が終了したときに、サブ制御盤に水がかかっている恐れがあるときには再接続させないようにすることで、サブ制御盤で地絡が発生していたとしてもメイン制御盤でその影響を受けず、非常用マシンルームレスエレベータが運転不可能になることを回避することができる。
【００３３】
上述した第１〜第３実施形態においては、接続切替スイッチ６２がメイン制御盤６内に設置されている場合について説明したが、これには限定されず、昇降路２内の最上階フロアレベルａよりも高い位置であれば、接続切替制御部６４に接続された状態でメイン制御盤６の外のケーブル７上に設置してもよい。また、接続切替スイッチ６２のＯＮ／ＯＦＦ切替操作を、当該エレベータを監視する外部の監視センター内の装置から実行できるように構成してもよい。
【００３４】
また、上述した第１〜第３実施形態においては、呼び戻しボタンが監視室に設置された場合について説明したが、これには限定されず、避難階の乗場等に設置してもよい。
【００３５】
また、上述した第１〜第３実施形態においては、メイン制御盤６およびサブ制御盤８が昇降路２の壁面に固定された場合について説明したが、乗りかご４のガイドレールまたは釣り合いおもり（図示せず）のガイドレールにブラケットにより固定してもよい。また、壁面やガイドレール内でこれらの制御盤を設置する場所が限られているときには、メイン制御盤６とサブ制御盤８とを、昇降路２の背面、側面、ガイドレール等の中で異なる場所にそれぞれ設置してもよい。この場合は、図６に示すように、昇降路２を上から見たときに、メイン制御盤６とサブ制御盤８とが重ならない位置に設置される。
【００３６】
また、上述した第１〜第３実施形態においては、メイン制御盤６と乗りかご４との間、メイン制御盤６とサブ制御盤８との間、メイン制御盤６と監視室９内の装置との間の通信を有線で行う場合について説明したが、これらの通信を無線で行うように構成してもよい。
【００３７】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００３８】
１Ａ，１Ｂ，１Ｃ…非常用マシンルームレスエレベータ、２…昇降路、３…巻上げ機、４…乗りかご、５…テールコード、６…メイン制御盤、７…ケーブル、８…サブ制御盤、９…監視室、１０−１〜１０−ｎ…火災検知器、１１…浸水検知器、１２…スプリンクラー装置、２１…オーバーヘッド、４１…かご内操作盤、６１…メイン機能制御部、６２…接続切替スイッチ、６３…信号検知部、６４…接続切替制御部、８１…サブ機能制御部、９１…非常呼び戻しスイッチ、４１１…１次消防運転スイッチ、４１２…復帰スイッチ
【図１】
2018052633.tif 000003
【図２】
2018052633.tif 000004
【図３】
2018052633.tif 000005
【図４】
2018052633.tif 000006
【図５】
2018052633.tif 000007
【図６】
2018052633.tif 000008
【手続補正書】
【提出日】平成29年9月20日(2017.9.20)
【手続補正１】
【補正対象書類名】特許請求の範囲
【補正対象項目名】全文
【補正方法】変更
【補正の内容】
【特許請求の範囲】
【請求項１】
建物内で火災が発生すると、通常運転から、予め設定された非常運転に切り替える非常用マシンルームレスエレベータにおいて、
非常運転に必須の機能の実行に用いる電子部品を有し、昇降路内の最上階床面よりも高い位置に設置されたメイン制御盤と、
非常運転に必須ではなく運転の精度向上またはサービス向上のために用いる機能の実行に用いる電子部品で構成され、前記メイン制御盤に接続されて、前記昇降路を上から見たときに前記メイン制御盤と重なるように、前記昇降路内の最上階床面よりも低い位置に設置されたサブ制御盤と、
前記建物内で火災が発生すると、前記メイン制御盤と前記サブ制御盤との接続を切断させる接続切替スイッチと、
を備えることを特徴とする非常用マシンルームレスエレベータ。
【請求項２】
前記サブ制御盤は、前記メイン制御盤からの指示に基づいて、所定の機能に関する処理を実行する
ことを特徴とする請求項１に記載の非常用マシンルームレスエレベータ。
【請求項３】
前記接続切替スイッチは、前記建物で火災が発生したことにより、非常運転を開始させるための消防運転スイッチまたは、予め設定された避難階に乗りかごを呼び戻すための非常呼び戻しスイッチが操作されると、前記メイン制御盤と前記サブ制御盤との接続を切断させる
ことを特徴とする請求項１または２に記載の非常用マシンルームレスエレベータ。
【請求項４】
前記接続切替スイッチは、前記建物内で火災が発生したことにより、前記建物内に設置された火災検知器から火災検知信号が出力されると、前記メイン制御盤と前記サブ制御盤との接続を切断させる
ことを特徴とする請求項１〜３いずれか１項に記載の非常用マシンルームレスエレベータ。
【請求項５】
前記接続切替スイッチは、非常運転から通常運転に復帰させるための復帰スイッチが操作されると、前記メイン制御盤と前記サブ制御盤とを再接続させる
ことを特徴とする請求項１〜４いずれか１項に記載の非常用マシンルームレスエレベータ。
【請求項６】
前記接続切替スイッチは、
前記サブ制御盤の近傍に設置された浸水検知器と、前記建物内に設置されたスプリンクラー装置との少なくともいずれか一方に接続され、
前記復帰スイッチが操作されたときに、前記浸水検知器に水がかかったことが検知されるかまたは、スプリンクラー装置が作動したことが検知されていれば、前記メイン制御盤と前記サブ制御盤とを再接続させず、切断状態を維持させる
ことを特徴とする請求項５に記載の非常用マシンルームレスエレベータ。
【請求項７】
非常用マシンルームレスエレベータが、
建物内で火災が発生すると、非常運転に必須の機能の実行に用いる電子部品を有して昇降路内の最上階床面よりも高い位置に設置されたメイン制御盤と、非常運転に必須ではなく運転の精度向上またはサービス向上のために用いる機能の実行に用いる電子部品で構成され、前記メイン制御盤に接続されて、前記昇降路を上から見たときに前記メイン制御盤と重なるように、前記昇降路内の最上階床面よりも低い位置に設置されたサブ制御盤との接続を切断させるとともに、通常運転から、予め設定された非常運転に切り替える
ことを特徴とする非常用マシンルームレスエレベータの運転切替方法。
【手続補正２】
【補正対象書類名】明細書
【補正対象項目名】０００７
【補正方法】変更
【補正の内容】
【０００７】
上記目的を達成するための実施形態によれば、建物内で火災が発生したときに通常運転から非常運転に切り替える非常用マシンルームレスエレベータは、メイン制御盤とサブ制御盤と接続切替スイッチとを備える。メイン制御盤は、非常運転に必須の機能の実行に用いる電子部品を有し、昇降路内の最上階床面よりも高い位置に設置される。サブ制御盤は、非常運転に必須ではなく運転の精度向上またはサービス向上のために用いる機能の実行に用いる電子部品で構成され、メイン制御盤に接続されて、前記昇降路を上から見たときに前記メイン制御盤と重なるように、前記昇降路内の最上階床面よりも低い位置に設置される。接続切替スイッチは、建物内で火災が発生すると、メイン制御盤とサブ制御盤との接続を切断させる。